(57)【要約】【課題】遺影だけでなく本尊も収納出来、また伝統的仏壇の形容を変えずに、それを縮小、軽量化して、故人の縁の地等に簡便に携行し、屋外に於いても崇拝可能な携帯仏壇を提供すること。かつ現代の狭小住宅事情に対応出来る小型仏壇を提供すること。【解決手段】上下左右の側板（１〜３）を開くだけで、本尊を掛ける向板（５）と遺影と戒名札（６）を装填した仏壇を、飛び出す絵本の様に立体的に構築出来、また全ての側板を閉じるとブックサイズに折り畳め、簡便に携行出来る程度に軽量で、いついかなる場所でも供養出来るよう構成する。【選択図】図１
0003111549.tif 000002
【実用新案登録請求の範囲】
【請求項１】
左右の扉（１）を開き、上下の側板（２、３）を開くと同時に、仏壇前面構築部（７〜１０、１５〜２２）と上下等間隔に蝶着した支板（２４）の蝶着点を支点に同調して、伝統的仏壇の形容そのままの本体を、飛び出す絵本のように立体的に構築出来、本尊と両脇仏と遺影と戒名札を配設するようにし、収納時にはブックサイズに折り畳むよう構成したことを特徴とする携帯仏壇。
【請求項２】
コンパクトながら伝統的仏壇と同型に塵受け（１５）、上台輪（１６）、狭間（７）、吊灯籠（１０）、前柱（１７）、高欄（１８）、上々段（１９）、上段（２０）、中段（２１）、下段（２２）、玉香炉（９）、花立（８）、畳ずり（２）、内扉〔雨戸〕（１）、向板（５）には脇掛けも設け、主たるものはなんら割愛せず小型ながら宗教的荘厳さを備えるよう構成したことを特徴とする請求項１記載の携帯仏壇。
【請求項３】
本尊と両脇仏と遺影及び戒名札を、向板（５）と内扉〔雨戸〕（１）の透明板に装填するよう構成したことを特徴とする請求項１記載の携帯仏壇。
【請求項４】
携帯用ながら、宗教的儀式に象徴的意味を持つ複数段の段差を形成するよう構成したことを特徴とする請求項１記載の携帯仏壇。
【請求項５】
蝶番の替わりに本体部材の両面から透明フィルム及びテープで張り合わせ、接合蝶着するよう形成したことを特徴とする請求項１記載の携帯仏壇。
【請求項６】
上下側板谷折り支点角内部（１１、１２）に配設した直角に曲げた金属棒、受け止め金具（４）を９０度回転させることにより側板の戻りを静止するよう構成したことを特徴とする請求項１記載の携帯仏壇。
【請求項７】
吊灯籠を蓄光素材にて形成したことを特徴とする請求項１記載の携帯仏壇。
【請求項８】
玉香炉を香木素材にて形成したことを特徴とする請求項１記載の携帯仏壇。
【請求項９】
花立一対後部の花立て用孔（２３）に草花が挿せるよう形成したことを特徴とする請求項１記載の携帯仏壇。
【請求項１０】
本体の本尊を飾る内壁面となる向板に金箔を張着してなることを特徴とする請求項１記載の携帯仏壇。
【考案の詳細な説明】
【技術分野】
【０００１】本考案は、軽量でブックサイズに収納しながら、使用時には伝統的仏壇と同型の小型仏壇を、飛び出す絵本のように立ち現わせることの出来る折り畳み仏壇に関するものである。
【背景技術】
【０００２】現代のマンション事情では、大きな据置き仏壇を設置するスペースを確保することは困難となりつつある。そこで近年の住宅事情を鑑み、例えば実用新案登録第３０５７０９１号公報に開示されているように本尊を祀る向板を前面に折り畳み、向板の背面に設けてある取っ手を持って移動出来るようにする手段や、更には遺影は飾れども仏壇を備えていない親戚が多い現実に、実用新案登録第３０６６５７３号公報に開示されているように、手帳型の仏壇を携帯するような手段が提案されている。
【考案の開示】
【０００３】現代住宅事情に即しているとはいえ、仏壇自体を簡素化し省略化して小型化する手段では、単なる写真立てに過ぎず、若しくは位牌箱に過ぎない。仏壇が元来、神社仏閣を模したものであるならば宗教的荘厳さというものが形として現れており、そこにこそ畏怖心や畏敬の念が生まれる。更に、小型とはいえ収納した状態で女性用バッグに納まる程度のサイズでなければ、故人を縁の地までは連れて行きづらい。そこで本考案はコンパクトながら使用時に相応の形態を得ることの出来る新規な構造の仏壇を提案したものである。
【課題を解決する為の手段】
【０００４】本考案に係る仏壇は、基本的には、観音開きの内扉（１）を左右１８０度に開き、本尊を飾る本体上部の塵受け上部板（３）と、本体下部の畳ずり下部板（２）の三枚を互いに上下９０度に開くのと同調して、上台輪（１６）、適宜に装飾を施した狭間（７）、吊灯籠（１０）、前柱（１７）、適宜に装飾を施した高欄（１８）、中段（２１）に据付けられた玉香炉（９）、下段（２２）に据付けられた花立（８）がスライドして前面に立体的に押し出てくるよう施したことを特徴とするものである。
【０００５】また前記の仏壇に於いて、向板（５）の本尊、両側の脇掛け、それに左右両扉内側（１）の遺影額及び戒名札額（６）は透明板内に装填し、又遺影額及び戒名札額（６）は繰出位牌のように数名の戒名札や遺影を入れておけるよう施したことを特徴とするものである。
【考案の効果】
【０００６】これまで、携帯仏壇や簡易仏壇や可搬仏壇など様々な携帯用の仏壇が考案されてきたが、実際屋外へ携行出来るサイズや重量のものは少なく、小型で携行出来たとしても従来の考案工法のものでは、使用時に小型とはいえ据置き仏壇と同形容の成形は不可能であった。併し、本考案は、左右上下の側板を開くことにより、飛び出す絵本風に、立体的に、伝統的仏壇の形状を簡略化することなく立ち現わせるものであるから、小型ながら見事に宗教的荘厳さを湛え、清浄性を溢れさせることができる。而も収納時にはブックサイズに縮小して女性用バッグにでも納めることができる構成のものであるから、鄙地、例えば山頂などにも携行できるサイズと重量のものである。
【０００７】本考案に係る仏壇は、使用時には、扉を左右に開き、本体と本体上部の板と本体下部の板三枚を互いに上下９０度に開くのと同調して、立体的な仏壇がスライドして飛び出す絵本の様に前面に飛び出てくるよう施した新規な構造である為、小型ながら宗教的荘厳さは失わず、コンパクトに折り畳めば、且つ軽量故に簡便に携行も可能で、収納時は書棚にも安置出来る現代狭小住宅事情上極めて有利な携帯及び小型仏壇である。
【０００８】飛び出す絵本風の折り紙建築仏壇なだけに、基本的に薄い板のみの構成故、部材が少なくて済み、従って安価に製作可能で経済上極めて有利な小型仏壇である。
【０００９】飛び出す絵本をモチーフにしている為、核家族化で故人との縁が薄かったかも知れぬ幼児たちも、飛び出してくる楽しい仏壇を屋内や屋外等で自ら開き、路傍の草花などを花立に飾ることで故人に対し親しみが募り、知らず知らず畏敬の念と宗教心が芽生える。
【考案を実施するための最良の形態】
【実施例】
【００１０】本考案の実施例について説明する。
実施例（図１）に示した仏壇は、基礎部となる向板（５）と左右両内扉（１）と畳ずり下部板（２）と塵受け上部板（３）とに折り畳まれて内包された仏壇前面構築部（７〜１０、１５〜２２）から構成される。【００１１】基礎部となる向板（５）の左右両側に内扉（１）を蝶着し、その向板（５）の上下に蝶着した畳ずり下部板（２）と塵受け上部板（３）の三枚の板に、仏壇前面構築部（７〜１０、１５〜２２）の支板（２４）を前面構築部と上下等間隔に蝶着し、９０度の開閉が自在になるよう構築する。【００１２】まず向板（５）に蝶着した左右両側の内扉（１）を観音開きで左右に開口し、向板（５）の本尊と遺影及び戒名札（６）が祈祷者と相対する角度まで蝶開する。次に向板（５）の上に蝶着した塵受け上部板（３）を開き始めると、仏壇前面構築部上部の塵受け（１５）と上台輪（１６）と吊灯籠（１０）を伴う狭間（７）の個々が上下等間隔に蝶着したそれぞれの支板（２４）の蝶着点を支点に立ち上がり、塵受け上部板（３）を９０度に起仰すると、上台輪（１６）、吊灯籠（１０）を伴った狭間（７）も同調してそれぞれが支板（２４）の蝶着点を支点に９０度に起仰する。その曲折角度を受け止め金具（４）で固定維持する。【００１３】次に向板（５）に蝶着された畳ずり下部板（２）を倒伏していくと、仏壇前面構築部中部から下部に掛ける前柱（１７）と高欄（１８）と上上段（１９）と上段（２０）と玉香炉（９）を伴った中段（２１）と花立（８）を伴った下段（２２）の個々が上下等間隔に蝶着したそれぞれの支板（２４）の蝶着点を支点に起き上がり、畳ずり下部板（２）を９０度に倒伏すると、前柱（１７）と高欄（１８）と上上段（１９）と上段（２０）と玉香炉（９）を伴った中段（２１）と花立（８）を伴った下段（２２）も同調してそれぞれが支板（２４）の蝶着点を支点に９０度に倒伏し、神聖な雛壇を形成する。その曲折角度を受け止め金具（４）で固定維持する。そして、畳ずり下部板枕（２５）を床に接置すると左右に開く内扉（１）の底面と同一高さに保持される。【００１４】左右花立（８）後部に設けた花立用孔（２３）に花を挿すことも可能である。【００１５】収納時はこの逆で、向板（５）側に、まず畳ずり下部板（２）を受け止め金具（４）を解除して折り畳み、その後に塵受け上部板（３）を受け止め金具（４）を解除して倒伏する。その上で遺影及び戒名札額（６）を付す左右両内扉１を閉めてコンパクトなブックサイズに納める。【００１６】収納時はブックサイズ故に書棚にも安置出来、洋間でも違和感を与えず、登山でも花見でも旅行でも簡便に携行出来、小型とはいえ屋外でも伝統的な形状のボリューム感ある仏壇で本尊と故人に礼拝可能な仏壇である。【００１７】また物具の位置を僅かに入れ替えるだけで各宗派に対応出来、この折り紙建築の技法は材質や意匠により更なる軽量化、小型化を可能とし、材料費や加工費の低減が図られ、安価に提供することを可能にする考案である。【００１８】収納時の仏壇箱外壁面には一般の家具同様の表面材を使用するか、または表面処理を施したことを特徴とするものである（図示せず）。【００１９】内部構造素材も硬質紙材、木材（黒檀、紫檀、鉄刀木、欅、屋久杉）、プラスチック、金属等あらゆる素材にも対応出来る構成である。どの素材でも装飾手段例えば狭間や高欄に花鳥風月の彫刻等を施すことは任意に定めることができるものである。【００２０】本考案は前記実施例に限定されるものではなく、本考案は少なくとも、本体側板、もしくは仏壇表面構築部を起仰、倒伏することにより、本体及び側板並びに表面構築部に等間隔に蝶着された支板によって媒介し同調する働きを利用して、飛び出す絵本風に谷折り山折りを駆使して具体的形容を現わす折り紙建築仏壇、祭壇となるものであれば、内扉の有無や、並びにあらゆる宗教宗派の要望による仏像、物具、仏壇の配置の差し替え、その形容の変更、又は葉書様のものに支板のみを折って本尊仏像表面板を立ち現わせて一枚板仏壇、又は二つ折りに畳む仏壇、又は３６０度に神仏表面を立ち上げた全角度から拝める折り紙建築仏壇、又は縦型の屏風風仏壇、更には教会建築をモチーフに立体的祭壇を造形すること等も任意に定めることができるものである。
【図面の簡単な説明】
【００２１】
【図１】左右の内扉（１）を開き礼拝時の状態における本考案の実施例を示す正面透視図。
【図２】下段（２２）に付す花立（８）後方に花立用孔（２３）を設ける本考案の実施例を示す全開時俯瞰透視図。
【図３】受け止め金具（４）で固定された状態の、複数の支板（２４）と畳ずり下部板枕（２５）を望む本考案の実施例を示す全開礼拝時の右側面図。
【図４】本考案の、向板（５）に畳ずり下部板（２）と塵受け上部板（３）を上下折畳んだ状態の正面透視図。
【図５】向板（５）に畳ずり下部板（２）と塵受け上部板（３）と左内扉（１）を三方折畳んだ状態の本考案の実施例を示す斜視図。
【図６】（図５）収納時の折り畳み状態を覗く本考案の実施例を示す右側面図。
【図７】本考案のブックサイズに収納された斜視図。
【符号の説明】
【００２２】１  内扉
２  畳ずり下部板
３  塵受け上部板
４  受け止め金具
５  向板（本尊、両脇掛け部）
６  遺影及び戒名札額
７  狭間
８  花立
９  玉香炉
１０  吊灯籠
１１  向板と畳み折り下部板谷折り部
１２  向板と塵受け上部板谷折り部
１３  向板と右内扉谷折り部
１４  向板と左内扉谷折り部
１５  塵受け
１６  上台輪
１７  前柱
１８  高欄
１９  上上段
２０  上段
２１  中段
２２  下段
２３  花立用孔
２４  支板
２５  畳ずり下部板枕
【図１】
0003111549.tif 000003
【図２】
0003111549.tif 000004
【図３】
0003111549.tif 000005
【図４】
0003111549.tif 000006
【図５】
0003111549.tif 000007
【図６】
0003111549.tif 000008
【図７】
0003111549.tif 000009